(57)【要約】【課題】設置場所に影響されることなく、画像表示装置を自動的にかつ迅速に調整できると共に、画像表示装置の組み合わせの変更にも容易に対処できるマルチスクリーンディスプレイおよびその調整方法を提供する。【解決手段】各画像表示装置１に対応する特性データ記憶手段１１、補正データ記憶手段１２および映像信号補正処理手段１３と、Ｎ台の画像表示装置１に対して共通の補正データ算出手段とを有し、特性データ記憶手段１１には、対応する画像表示装置１の特性データを格納し、補正データ算出手段は、全ての特性データ記憶手段１１に記憶されている特性データに基づいて各画像表示装置１の補正データを一括して算出して対応する補正データ記憶手段１２に格納し、各画像表示装置１において、入力映像信号を対応する補正データ記憶手段１２に格納されている補正データに基づいて映像信号補正手段１３で補正処理して表示する。【選択図】        図３
2004309562.tif 000002
【特許請求の範囲】
【請求項１】
複数Ｎ台の画像表示装置を組み合わせて一つの画面を構成するマルチスクリーンディスプレイにおいて、
各画像表示装置に対応する特性データ記憶手段、補正データ記憶手段および映像信号補正処理手段と、
上記Ｎ台の画像表示装置に対して共通の補正データ算出手段とを有し、
上記特性データ記憶手段には、対応する画像表示装置の特性データを格納し、
上記補正データ算出手段は、全ての特性データ記憶手段に記憶されている特性データに基づいて各画像表示装置の補正データを一括して算出して対応する上記補正データ記憶手段に格納するように構成し、
各画像表示装置において、入力映像信号を対応する上記補正データ記憶手段に格納されている補正データに基づいて上記映像信号補正手段で補正処理して表示するようにしたことを特徴とするマルチスクリーンディスプレイ。
【請求項２】
複数Ｎ台の画像表示装置を組み合わせて一つの画面を構成するマルチスクリーンディスプレイにおいて、
各画像表示装置に対応する特性データ記憶手段、補正データ算出手段、補正データ記憶手段、通信手段および映像信号補正処理手段を有し、
上記特性データ記憶手段には、対応する画像表示装置の特性データを格納し、
全ての画像表示装置は、対応する上記通信手段を介して相互に通信可能に接続し、
上記補正データ算出手段は、全ての画像表示装置の特性データ記憶手段に記憶されている特性データを取り込んで、それらの特性データに基づいて対応する画像表示装置の補正データを算出して上記補正データ記憶手段に格納するように構成し、
各画像表示装置において、入力映像信号を対応する上記補正データ記憶手段に格納されている補正データに基づいて上記映像信号補正手段で補正処理して表示するようにしたことを特徴とするマルチスクリーンディスプレイ。
【請求項３】
複数Ｎ台の画像表示装置を組み合わせて一つの画面を構成するマルチスクリーンディスプレイにおいて、
各画像表示装置に対応する補正データ記憶手段、映像信号補正処理手段および可搬性の記録媒体と、
記録媒体読み取り機能を備え、上記Ｎ台の画像表示装置に対して共通の補正データ算出手段とを有し、
上記記録媒体には、対応する画像表示装置の特性データと当該画像表示装置の識別コードとを記録し、
上記補正データ算出手段は、全ての記録媒体を読み取って得た特性データおよび識別コードに基づいて各画像表示装置の補正データを一括して算出して対応する上記補正データ記憶手段に格納するように構成し、
各画像表示装置において、入力映像信号を対応する上記補正データ記憶手段に格納されている補正データに基づいて上記映像信号補正手段で補正処理して表示するようにしたことを特徴とするマルチスクリーンディスプレイ。
【請求項４】
複数Ｎ台の画像表示装置を組み合わせて一つの画面を構成するマルチスクリーンディスプレイにおいて、
各画像表示装置に対応する補正データ記憶手段および映像信号補正処理手段と、
ネットワークを介してアクセス可能なデータベースと、
上記ネットワークに接続可能で、上記Ｎ台の画像表示装置に対して共通の補正データ算出手段とを有し、
上記データベースには、各画像表示装置の特性データと当該画像表示装置の識別コードとを記録し、
上記補正データ算出手段は、上記ネットワークを介して上記データベースから全ての特性データおよび識別コードを読み取って、その読み取り情報に基づいて各画像表示装置の補正データを一括して算出して対応する上記補正データ記憶手段に格納するように構成し、
各画像表示装置において、入力映像信号を対応する上記補正データ記憶手段に格納されている補正データに基づいて上記映像信号補正手段で補正処理して表示するようにしたことを特徴とするマルチスクリーンディスプレイ。
【請求項５】
複数Ｎ台の画像表示装置を組み合わせて一つの画面を構成するマルチスクリーンディスプレイにおいて、
各画像表示装置に対応する特性データ記憶手段、補正データ算出手段、補正データ記憶手段、映像信号補正処理手段、特性パラメータ算出手段、処理開始指示手段および通信手段を有し、
上記特性データ記憶手段には、対応する画像表示装置の特性データを格納し、
全ての画像表示装置は、対応する上記通信手段を介して相互に通信可能に接続して、
任意の画像表示装置における上記処理開始指示手段をアクティブにすることにより、当該処理開始指示手段に対応する画像表示装置をマスタとし、他の画像表示手段をスレーブとして、マスタの上記特性パラメータ算出手段により全ての画像表示装置の上記特性データ記憶手段に記憶されている特性データを取り込んで、各画像表示装置の特性パラメータを一括して算出し、
その算出した特性パラメータを対応する画像表示装置の上記補正データ算出手段に供給して、各補正データ算出手段において上記供給された特性パラメータと、対応する上記特性データ記憶手段に記憶されている特性データとに基づいて、当該画像表示装置の補正データを算出して対応する上記補正データ記憶手段に格納し、
各画像表示装置では、入力映像信号を対応する上記補正データ記憶手段に格納されている補正データに基づいて上記映像信号補正手段で補正処理して表示するようにしたことを特徴とするマルチスクリーンディスプレイ。
【請求項６】
複数Ｎ台の画像表示装置を組み合わせて一つの画面を構成するマルチスクリーンディスプレイにおいて、
各画像表示装置に対応する特性データ記憶手段、補正データ記憶手段および映像信号補正処理手段と、
上記Ｎ台の画像表示装置の配置位置を示す配置情報を格納する配置情報記憶手段と、
上記Ｎ台の画像表示装置に対して共通の補正データ算出手段とを有し、
上記特性データ記憶手段には、対応する画像表示装置の特性データを格納し、
上記補正データ算出手段は、全ての特性データ記憶手段および上記配置情報記憶手段にそれぞれ記憶されている特性データおよび配置情報に基づいて各画像表示装置の補正データを一括して算出して対応する上記補正データ記憶手段に格納するように構成し、
各画像表示装置において、入力映像信号を対応する上記補正データ記憶手段に格納されている補正データに基づいて上記映像信号補正手段で補正処理して表示するようにしたことを特徴とするマルチスクリーンディスプレイ。
【請求項７】
上記配置情報記憶手段には、各画像表示装置の識別コードを格納することを特徴とする請求項２に記載のマルチスクリーンディスプレイ。
【請求項８】
上記特性データは、対応する画像表示装置に特定画像を異なる輝度で順次表示し、その各表示画像の特性を画像特性検出手段で検出したものであることを特徴とする請求項１〜７のいずれか一項に記載のマルチスクリーンディスプレイ。
【請求項９】
上記画像特性検出手段は、ＣＣＤカメラ、ビデオカメラ、測色器、または光電センサのいずれか一つを含むことを特徴とする請求項８に記載のマルチスクリーンディスプレイ。
【請求項１０】
上記特性データは、対応する画像表示装置の表示領域を複数のブロックに分割して得たブロックごとの赤（Ｒ）、緑（Ｇ）、青（Ｂ）の各色の１００％輝度および０％輝度を含む複数階調時の輝度値を有し、
上記補正データ算出手段は、ｋ（ｋ＝１〜Ｎ）番目の画像表示装置における各色の１００％輝度時の最小値をＲ−Ｗｈｉｔｅ（ｋ）、Ｇ−Ｗｈｉｔｅ（ｋ）、Ｂ−Ｗｈｉｔｅ（ｋ）、０％輝度時の最大値をＲ−Ｂｌａｃｋ（ｋ）、Ｇ−Ｂｌａｃｋ（ｋ）、Ｂ−Ｂｌａｃｋ（ｋ）とするとき、Ｒ−Ｗｈｉｔｅ（ｋ）、Ｇ−Ｗｈｉｔｅ（ｋ）、Ｂ−Ｗｈｉｔｅ（ｋ）（ｋ＝１〜Ｎ）のうちの最小値Ｒ−Ｗｈｉｔｅｍｉｎ、Ｇ−Ｗｈｉｔｅｍｉｎ、Ｂ−Ｗｈｉｔｅｍｉｎと、Ｒ−Ｂｌａｃｋ（ｋ）、Ｇ−Ｂｌａｃｋ（ｋ）、Ｂ−Ｂｌａｃｋ（ｋ）（ｋ＝１〜Ｎ）のうちの最大値Ｒ−Ｂｌａｃｋｍａｘ、Ｇ−Ｂｌａｃｋｍａｘ、Ｂ−Ｂｌａｃｋｍａｘとを抽出して、各画像表示装置の各色の１００％輝度時がＲ−Ｗｈｉｔｅｍｉｎ、Ｇ−Ｗｈｉｔｅｍｉｎ、Ｂ−Ｗｈｉｔｅｍｉｎ、０％輝度時がＲ−Ｂｌａｃｋｍａｘ、Ｇ−Ｂｌａｃｋｍａｘ、Ｂ−Ｂｌａｃｋｍａｘで、所定のγ特性カーブとなるように各ブロックの各色の補正データを一括して算出することを特徴とする請求項１〜９のいずれか一項に記載のマルチスクリーンディスプレイ。
【請求項１１】
上記所定のγ特性カーブは、上記Ｒ−Ｂｌａｃｋｍａｘ、Ｇ−Ｂｌａｃｋｍａｘ、Ｂ−Ｂｌａｃｋｍａｘを下限に、Ｒ−Ｗｈｉｔｅｍｉｎ、Ｇ−Ｗｈｉｔｅｍｉｎ、Ｂ−Ｗｈｉｔｅｍｉｎを上限に補正したときの平均のγ特性カーブであることを特徴とする請求項１０に記載のマルチスクリーンディスプレイ。
【請求項１２】
上記Ｒ−Ｂｌａｃｋｍａｘ、Ｇ−Ｂｌａｃｋｍａｘ、Ｂ−Ｂｌａｃｋｍａｘおよび／または上記Ｒ−Ｗｈｉｔｅｍｉｎ、Ｇ−Ｗｈｉｔｅｍｉｎ、Ｂ−Ｗｈｉｔｅｍｉｎを等しくしたことを特徴とする請求項１０または１１に記載のマルチスクリーンディスプレイ。
【請求項１３】
上記補正データ算出手段は、各画像表示装置の表示画面の左端および右端と、上端および下端とでγ特性カーブがそれぞれ一致するように補正データを算出することを特徴とする請求項１〜９に記載のマルチスクリーンディスプレイ。
【請求項１４】
複数Ｎ台の画像表示装置を組み合わせて一つの画面を構成するマルチスクリーンディスプレイの調整方法において、
各画像表示装置に予めテスト映像を表示したものを撮影して得られた特性データ記憶しておき、
上記複数Ｎ台の画像表示装置の配置後、Ｎ台の上記特性データに基づいて各画像表示装置の補正データを算出するステップと、
算出された補正データを各画像表示装置に設定するステップとを含むことを特徴とするマルチスクリーンディスプレイの調整方法。
【発明の詳細な説明】
【０００１】
【発明の属する技術分野】
本発明は、複数台の画像表示装置を組み合わせて一つの画面を構成するマルチスクリーンディスプレイおよびその調整方法に関するものである。
【０００２】
【従来の技術】
この種のマルチスクリーンディスプレイは、単体の大画面ディスプレイよりも奥行きが短く、輝度が高いことから、例えばイベント会場やショールームなどで広く使われている。
【０００３】
このようなマルチスクリーンディスプレイにおいては、各画像表示装置における表示画面内での輝度むらおよび色むら（面内むら）、並びに表示画面間での輝度むらおよび色むら（面間むら）が画像を観察する上で問題となる。このばらつきの主な要因としては、画像表示装置がプロジェクタを有する場合には、カラーフィルターのばらつき、投影光源であるランプのばらつき、それらの経時変化等が挙げられ、さらにプロジェクタが液晶プロジェクタの場合には、液晶パネルのばらつき、その経時変化等が挙げられる。
【０００４】
この問題を解決する方法として、例えば、工場出荷時に類似の特性の画像表示装置を選別し、その選別された画像表示装置を組み合わせてマルチスクリーンディスプレイを構成する方法がある。しかし、この方法では、必要とする画像表示装置数の何倍もの画像表示装置を用意しなければならないと共に、良好な組み合わせが見つかるための必要数量も見当がつかず、作業工数も見積もれないという問題がある。
【０００５】
また、他の解決方法として、画像表示装置を必要台数組み込んだ後に、各画像表示装置の色、輝度をマニュアル調整する方法がある。しかし、この場合には、調整に熟練を要するため、作業者によって品質が安定しないという問題があると共に、画像表示装置の台数が多くなるほど、相互間の調整が難しくなって時間がかかるという問題がある。
【０００６】
そこで、上記の問題を解決する方法として、各画像表示装置に、ディジタル変換した映像信号データを輝度むら補正された映像信号データに変換するデータ変換器と、データ変換器での変換処理内容を制御する演算制御装置とを設け、先ず、各画像表示装置において画面をある一定の輝度にして面内での輝度むらを補正し、その後、当該輝度において画像表示装置間での輝度差がなくなるように面間での輝度むらを補正する操作を、複数の輝度（例えば１００％、７５％、５０％、２５％）で繰り返し行って、全ての輝度レベルにおいて輝度むらおよび色むらを補正するようにしたものが提案されている（例えば、特許文献１参照）。
【０００７】
また、他の解決方法として、先ず、複数の画像表示装置からなるマルチスクリーンディスプレイにＲ，Ｇ，Ｂの各色を表示し、その画面をカメラで撮影することにより各色の光量データを検出して、その検出した光量データに基づいて画像表示装置ごとに面内むらを補正し、次に、各画像表示装置の駆動電圧を制御して画像表示装置間の白バランスを調整し、最後に、γ特性を調整することにより、面間むらを補正するようにしたものも提案されている（例えば、特許文献２参照）。
【０００８】
【特許文献１】
特許第３２８７００７号公報
【特許文献２】
特開平７−３３３７６０号公報
【０００９】
【発明が解決しようとする課題】
しかしながら、上記特許文献１に開示の調整方法にあっては、各輝度において面内むらを補正してから面間むらを補正するという多段階の調整を要し、また、上記特許文献２に開示の調整方法にあっては、面内むらを補正してから面間の白バランスを調整し、最後にγ調整を行うという３段階の調整を要し、しかもいずれの調整方法においても、画像表示装置の組み合わせを変更するごとに同じ調整を最初からやり直す必要があるため、手間と時間がかかるという問題がある。
【００１０】
また、複数台の画像表示装置を組み立ててからの調整となるため、マルチスクリーンディスプレイの画面をカメラで撮影し、そのデータに基づいて輝度むらを補正する場合には、マルチスクリーンディスプレイの設置場所によっては、カメラを設置できなかったり、設置環境を暗室にできなかったりして、対応できない場合もある。
【００１１】
したがって、かかる点に鑑みてなされた本発明の目的は、設置場所に影響されることなく、画像表示装置を自動的にかつ迅速に調整できると共に、画像表示装置の組み合わせの変更にも容易に対処できるマルチスクリーンディスプレイおよびその調整方法を提供することにある。
【００１２】
【課題を解決するための手段】
上記目的を達成する請求項１に係る発明は、複数Ｎ台の画像表示装置を組み合わせて一つの画面を構成するマルチスクリーンディスプレイにおいて、
各画像表示装置に対応する特性データ記憶手段、補正データ記憶手段および映像信号補正処理手段と、
上記Ｎ台の画像表示装置に対して共通の補正データ算出手段とを有し、
上記特性データ記憶手段には、対応する画像表示装置の特性データを格納し、
上記補正データ算出手段は、全ての特性データ記憶手段に記憶されている特性データに基づいて各画像表示装置の補正データを一括して算出して対応する上記補正データ記憶手段に格納するように構成し、
各画像表示装置において、入力映像信号を対応する上記補正データ記憶手段に格納されている補正データに基づいて上記映像信号補正手段で補正処理して表示するようにしたことを特徴とするものである。
【００１３】
請求項２に係る発明は、複数Ｎ台の画像表示装置を組み合わせて一つの画面を構成するマルチスクリーンディスプレイにおいて、
各画像表示装置に対応する特性データ記憶手段、補正データ算出手段、補正データ記憶手段、通信手段および映像信号補正処理手段を有し、
上記特性データ記憶手段には、対応する画像表示装置の特性データを格納し、
全ての画像表示装置は、対応する上記通信手段を介して相互に通信可能に接続し、
上記補正データ算出手段は、全ての画像表示装置の特性データ記憶手段に記憶されている特性データを取り込んで、それらの特性データに基づいて対応する画像表示装置の補正データを算出して上記補正データ記憶手段に格納するように構成し、
各画像表示装置において、入力映像信号を対応する上記補正データ記憶手段に格納されている補正データに基づいて上記映像信号補正手段で補正処理して表示するようにしたことを特徴とするものである。
【００１４】
請求項３に係る発明は、複数Ｎ台の画像表示装置を組み合わせて一つの画面を構成するマルチスクリーンディスプレイにおいて、
各画像表示装置に対応する補正データ記憶手段、映像信号補正処理手段および可搬性の記録媒体と、
記録媒体読み取り機能を備え、上記Ｎ台の画像表示装置に対して共通の補正データ算出手段とを有し、
上記記録媒体には、対応する画像表示装置の特性データと当該画像表示装置の識別コードとを記録し、
上記補正データ算出手段は、全ての記録媒体を読み取って得た特性データおよび識別コードに基づいて各画像表示装置の補正データを一括して算出して対応する上記補正データ記憶手段に格納するように構成し、
各画像表示装置において、入力映像信号を対応する上記補正データ記憶手段に格納されている補正データに基づいて上記映像信号補正手段で補正処理して表示するようにしたことを特徴とするものである。
【００１５】
請求項４に係る発明は、複数Ｎ台の画像表示装置を組み合わせて一つの画面を構成するマルチスクリーンディスプレイにおいて、
各画像表示装置に対応する補正データ記憶手段および映像信号補正処理手段と、
ネットワークを介してアクセス可能なデータベースと、
上記ネットワークに接続可能で、上記Ｎ台の画像表示装置に対して共通の補正データ算出手段とを有し、
上記データベースには、各画像表示装置の特性データと当該画像表示装置の識別コードとを記録し、
上記補正データ算出手段は、上記ネットワークを介して上記データベースから全ての特性データおよび識別コードを読み取って、その読み取り情報に基づいて各画像表示装置の補正データを一括して算出して対応する上記補正データ記憶手段に格納するように構成し、
各画像表示装置において、入力映像信号を対応する上記補正データ記憶手段に格納されている補正データに基づいて上記映像信号補正手段で補正処理して表示するようにしたことを特徴とするものである。
【００１６】
請求項５に係る発明は、複数Ｎ台の画像表示装置を組み合わせて一つの画面を構成するマルチスクリーンディスプレイにおいて、
各画像表示装置に対応する特性データ記憶手段、補正データ算出手段、補正データ記憶手段、映像信号補正処理手段、特性パラメータ算出手段、処理開始指示手段および通信手段を有し、
上記特性データ記憶手段には、対応する画像表示装置の特性データを格納し、
全ての画像表示装置は、対応する上記通信手段を介して相互に通信可能に接続して、
任意の画像表示装置における上記処理開始指示手段をアクティブにすることにより、当該処理開始指示手段に対応する画像表示装置をマスタとし、他の画像表示手段をスレーブとして、マスタの上記特性パラメータ算出手段により全ての画像表示装置の上記特性データ記憶手段に記憶されている特性データを取り込んで、各画像表示装置の特性パラメータを一括して算出し、
その算出した特性パラメータを対応する画像表示装置の上記補正データ算出手段に供給して、各補正データ算出手段において上記供給された特性パラメータと、対応する上記特性データ記憶手段に記憶されている特性データとに基づいて、当該画像表示装置の補正データを算出して対応する上記補正データ記憶手段に格納し、
各画像表示装置では、入力映像信号を対応する上記補正データ記憶手段に格納されている補正データに基づいて上記映像信号補正手段で補正処理して表示するようにしたことを特徴とするものである。
【００１７】
請求項６に係る発明は、複数Ｎ台の画像表示装置を組み合わせて一つの画面を構成するマルチスクリーンディスプレイにおいて、
各画像表示装置に対応する特性データ記憶手段、補正データ記憶手段および映像信号補正処理手段と、
上記Ｎ台の画像表示装置の配置位置を示す配置情報を格納する配置情報記憶手段と、
上記Ｎ台の画像表示装置に対して共通の補正データ算出手段とを有し、
上記特性データ記憶手段には、対応する画像表示装置の特性データを格納し、
上記補正データ算出手段は、全ての特性データ記憶手段および上記配置情報記憶手段にそれぞれ記憶されている特性データおよび配置情報に基づいて各画像表示装置の補正データを一括して算出して対応する上記補正データ記憶手段に格納するように構成し、
各画像表示装置において、入力映像信号を対応する上記補正データ記憶手段に格納されている補正データに基づいて上記映像信号補正手段で補正処理して表示するようにしたことを特徴とするものである。
【００１８】
請求項７に係る発明は、請求項２に記載のマルチスクリーンディスプレイにおいて、上記配置情報記憶手段には、各画像表示装置の識別コードを格納することを特徴とするものである。
【００１９】
請求項８に係る発明は、請求項１〜７のいずれか一項に記載のマルチスクリーンディスプレイにおいて、上記特性データは、対応する画像表示装置に特定画像を異なる輝度で順次表示し、その各表示画像の特性を画像特性検出手段で検出したものであることを特徴とするものである。
【００２０】
請求項９に係る発明は、請求項８に記載のマルチスクリーンディスプレイにおいて、上記画像特性検出手段は、ＣＣＤカメラ、ビデオカメラ、測色器、または光電センサのいずれか一つを含むことを特徴とするものである。
【００２１】
請求項１０に係る発明は、請求項１〜９のいずれか一項に記載のマルチスクリーンディスプレイにおいて、上記特性データは、対応する画像表示装置の表示領域を複数のブロックに分割して得たブロックごとの赤（Ｒ）、緑（Ｇ）、青（Ｂ）の各色の１００％輝度および０％輝度を含む複数階調時の輝度値を有し、
上記補正データ算出手段は、ｋ（ｋ＝１〜Ｎ）番目の画像表示装置における各色の１００％輝度時の最小値をＲ−Ｗｈｉｔｅ（ｋ）、Ｇ−Ｗｈｉｔｅ（ｋ）、Ｂ−Ｗｈｉｔｅ（ｋ）、０％輝度時の最大値をＲ−Ｂｌａｃｋ（ｋ）、Ｇ−Ｂｌａｃｋ（ｋ）、Ｂ−Ｂｌａｃｋ（ｋ）とするとき、Ｒ−Ｗｈｉｔｅ（ｋ）、Ｇ−Ｗｈｉｔｅ（ｋ）、Ｂ−Ｗｈｉｔｅ（ｋ）（ｋ＝１〜Ｎ）のうちの最小値Ｒ−Ｗｈｉｔｅｍｉｎ、Ｇ−Ｗｈｉｔｅｍｉｎ、Ｂ−Ｗｈｉｔｅｍｉｎと、Ｒ−Ｂｌａｃｋ（ｋ）、Ｇ−Ｂｌａｃｋ（ｋ）、Ｂ−Ｂｌａｃｋ（ｋ）（ｋ＝１〜Ｎ）のうちの最大値Ｒ−Ｂｌａｃｋｍａｘ、Ｇ−Ｂｌａｃｋｍａｘ、Ｂ−Ｂｌａｃｋｍａｘとを抽出して、各画像表示装置の各色の１００％輝度時がＲ−Ｗｈｉｔｅｍｉｎ、Ｇ−Ｗｈｉｔｅｍｉｎ、Ｂ−Ｗｈｉｔｅｍｉｎ、０％輝度時がＲ−Ｂｌａｃｋｍａｘ、Ｇ−Ｂｌａｃｋｍａｘ、Ｂ−Ｂｌａｃｋｍａｘで、所定のγ特性カーブとなるように各ブロックの各色の補正データを一括して算出することを特徴とするものである。
【００２２】
請求項１１に係る発明は、請求項１０に記載のマルチスクリーンディスプレイにおいて、上記所定のγ特性カーブは、上記Ｒ−Ｂｌａｃｋｍａｘ、Ｇ−Ｂｌａｃｋｍａｘ、Ｂ−Ｂｌａｃｋｍａｘを下限に、Ｒ−Ｗｈｉｔｅｍｉｎ、Ｇ−Ｗｈｉｔｅｍｉｎ、Ｂ−Ｗｈｉｔｅｍｉｎを上限に補正したときの平均のγ特性カーブであることを特徴とするものである。
【００２３】
請求項１２に係る発明は、請求項１０または１１に記載のマルチスクリーンディスプレイにおいて、上記Ｒ−Ｂｌａｃｋｍａｘ、Ｇ−Ｂｌａｃｋｍａｘ、Ｂ−Ｂｌａｃｋｍａｘおよび／または上記Ｒ−Ｗｈｉｔｅｍｉｎ、Ｇ−Ｗｈｉｔｅｍｉｎ、Ｂ−Ｗｈｉｔｅｍｉｎを等しくしたことを特徴とするものである。
【００２４】
請求項１３に係る発明は、請求項１〜９に記載のマルチスクリーンディスプレイにおいて、上記補正データ算出手段は、各画像表示装置の表示画面の左端および右端と、上端および下端とでγ特性カーブがそれぞれ一致するように補正データを算出することを特徴とするものである。
【００２５】
請求項１４に係る発明は、複数Ｎ台の画像表示装置を組み合わせて一つの画面を構成するマルチスクリーンディスプレイの調整方法において、
各画像表示装置に予めテスト映像を表示したものを撮影して得られた特性データ記憶しておき、
上記複数Ｎ台の画像表示装置の配置後、Ｎ台の上記特性データに基づいて各画像表示装置の補正データを算出するステップと、
算出された補正データを各画像表示装置に設定するステップとを含むことを特徴とするものである。
【００２６】
【発明の実施の形態】
以下、本発明によるマルチスクリーンディスプレイおよびその調整方法の実施の形態について、図面を参照して説明する。
【００２７】
（第１実施の形態）
図１は、本発明の第１実施の形態におけるマルチスクリーンディスプレイの概略構成を一部分解して示す斜視図である。このマルチスクリーンディスプレイは、複数Ｎ（ここでは、Ｎ＝４）台の画像表示装置１を上下に２台ずつ組み合わせたもので、各画像表示装置１は直方体状の筐体２内に配置されたプロジェクタ３と、その投影像を表示するように筐体２の前面に配置されたスクリーン（表示画面）４とを有している。
【００２８】
本実施の形態では、図２に示すように、各画像表示装置１に演算制御装置５を設け、この演算制御装置５によりパソコンやビデオプレーヤ等の映像出力機器６から出力される映像信号を補正処理して、プロジェクタ３からスクリーン４に画像を投影することにより、４台の画像表示装置１で一つの画面を構成する。
【００２９】
演算制御装置５には、図３に示すように、特性データ記憶部１１、補正データ記憶部１２、映像信号補正処理部１３、制御部（ＣＰＵ）１４、通信部１５、映像信号入力部１６、および映像信号出力部１７を設ける。特性データ記憶部１１および補正データ記憶部１２は、制御部１４および通信部１５を介して後述する調整装置とデータのリード・ライトを可能として、特性データ記憶部１１に当該画像表示装置１の特性データを格納し、補正データ記憶部１２には当該画像表示装置１の補正データを格納する。
【００３０】
このようにして、映像出力機器６から映像信号入力部１６を経て入力される入力映像信号を、映像信号補正処理部１３において補正データ記憶部１２に格納されている補正データに基づいてリアルタイムで補正処理して、その補正された映像信号を映像信号出力部１７から対応するプロジェクタ３に供給してスクリーン４に投影表示する。
【００３１】
なお、特性データ記憶部１１および補正データ記憶部１２は、不揮発メモリ（例えば、フラッシュメモリ）で構成したり、あるいは揮発性メモリ（ＳＤＲＡＭ）を用いて電源が切られてもデータが失われないように電池でバックアップするように構成したりすることができるが、特に、補正データ記憶部１２については、映像信号補正処理部１３において補正データを参照して入力映像信号をリアルタイムで補正処理することから、好ましくは、不揮発性メモリと揮発性メモリとを用い、常時は処理速度が比較的遅い不揮発性メモリに補正データを格納しておき、電源投入により不揮発性メモリから処理速度が比較的速い揮発性メモリに補正データをダウンロードして用いるようにする。
【００３２】
次に、特性データ記憶部１１に格納する特性データの取得方法、および補正データ記憶部１２に格納する補正データの算出方法について説明する。
【００３３】
本実施の形態では、図４に示すように、先ず、Ｎ台（ここでは、Ｎ＝４）の画像表示装置１のそれぞれにおいてテスト映像（特定画像）を表示して、表示されたテスト映像を撮影し、その撮影データから特性データを抽出して演算制御装置５の特性データ記憶部１１に格納する（ステップＳ１）。次に、Ｎ台の画像表示装置１を配置して、Ｎ台の演算制御装置５の特性データ記憶部１１に格納されている既に求めた特性データを取り込んで、それら特性データに基づいて各画像表示装置１の面内むらおよび画像表示装置１間の面間むらを補正するための補正データを一括して算出する（ステップＳ２）。その後、算出した補正データを対応する演算制御装置５の補正データ記憶部１２に格納する（ステップＳ３）。
【００３４】
このため、図５に概略図を示すように、組み合わせる全ての画像表示装置１に対して共通の調整装置２１を設ける。調整装置２１には、テスト映像送出部２２、特性データ抽出部２３および補正データ算出部２４を設けて、テスト映像送出部２２を各演算制御装置５の映像信号入力部１６に切り替えて接続し、特性データ抽出部２３および補正データ算出部２４を、ハブ（ＨＵＢ）２６を介して各演算制御装置５の通信部１５に接続し、さらに特性データ抽出部２３には後述するようにＣＣＤカメラからの画像信号を入力するようにする。この調整装置２１は、例えばパーソナルコンピュータ（ＰＣ）をもって構成する。
【００３５】
このようにして、各画像表示装置１の特性データを取得するにあたっては、図６に示すように、調整装置２１から演算制御装置５にスルーモード指令信号を与えると共に、調整装置２１のテスト映像送出部２２から演算制御装置５の映像信号入力部１６にテスト映像信号を送出し、そのテスト映像を映像信号補正処理部１３で補正処理することなくスルーモードでプロジェクタ３に供給してスクリーン４に投影表示させ、そのスクリーン全面の表示映像をフード２７により外光を遮光してＣＣＤカメラ２８で撮影して、その撮影データを調整装置２１の特性データ抽出部２３に取り込んで特性データを取得する。なお、フード２７は、内面を光が反射しない材質で形成して、スクリーン４の映像がフード２７に反射しないように構成する。
【００３６】
以下、特性データの取得方法について、さらに詳細に説明する。各画像表示装置１において、先ずスルーモードとして、Ｒ（赤）色のみのテスト映像を、例えば２５６段階（８ビット）で表わされる階調０（黒）から階調２５５（真っ赤）まで、すなわち０％輝度から１００％輝度まで段階的に明るくして、その都度ＣＣＤカメラ２８で表示映像を撮影し、その撮影データを調整装置２１の特性データ抽出部２３に取り込む。
【００３７】
ここで、テスト映像の階調の段階は、例えば、０、１６、３２、４８、・・・、２４０、２５５と１６階調おきにすることもできるし、あるいは、実際の入力映像のγ係数が０．４５の場合には、黒映像の階調が重視され、白映像は比較的ラフでも良い傾向があるので、例えば、０、４、８、１２、１６、２４、３２、４０、４８、６４、９６、１２８、１６０、１９２、２２４、２５５、というように黒映像はきめ細かく、白映像はやや荒くすることもできる。
【００３８】
特性データ抽出部２３では、図７に示すように、スクリーン４の表示エリアを複数のブロックに分割して、階調ごとにその撮影データに基づいて各ブロックの輝度値を算出して、Ｒ色の特性データを得る。なお、図７では表示エリアを横８、縦６の合計４８ブロックに分割した場合を示しているが、ブロックの分割数は、画質の要求レベルに合わせて設定すればよい。例えば、プロジェクタ３がＳＶＧＡの場合には、最大で横８００、縦６００の合計４８０，０００ブロックに画素ごとに分割することもできるし、ＳＸＧＡ（１２８０×１０２４）の場合には、１６×１６を１ブロックとして、横８０、縦６４の合計５，１２０ブロックに分割することもできる。
【００３９】
図８は、上記の処理により得られるＲ色の特性データの一例を示すもので、図８（ｂ）は図８（ａ）をグラフ化したものである。図８において、Ｒ１は１番目のブロックの輝度値（ｃｄ／ｍ２）、Ｒ２は２番目のブロックの輝度値、Ｒ３は３番目のブロックの輝度値を示しており、他のブロックの輝度値については図示を省略してある。
【００４０】
Ｇ色およびＢ色についても、同様にして特性データを算出し、これらのＲ，Ｇ，Ｂの各色の特性データを、ハブ２６を介して対応する画像表示装置１の演算制御装置５に送信して、その特性データ記憶部１１に格納する。このようにして、４台の画像表示装置１のそれぞれのＲ、Ｇ、Ｂの各色の特性データを算出して、対応する演算制御装置５の特性データ記憶部１１に格納する。
【００４１】
次に、補正データの算出方法について、図９に示すフローチャートを参照してさらに詳細に説明する。先ず、Ｎ台の画像表示装置１の特性データ、すなわち全ての演算制御装置５の特性データ記憶部１１に格納されている特性データを調整装置２１の補正データ算出部２４に取り込む（ステップＳ１１）。その後、補正データ算出部２４において、ｋ（ｋ＝１〜Ｎ）番目の画像表示装置１のＲ，Ｇ，Ｂの各色について特性データを比較して、１００％輝度画像の撮影における輝度の最低値Ｗ（ｋ）と、０％輝度画像の撮影における輝度の最大値Ｂ（ｋ）とを抽出する（ステップＳ１２）。次に、Ｗ（ｋ）（ｋ＝１〜Ｎ）のうちの最小値である上限の基準データＷｍｉｎと、Ｂ（ｋ）（ｋ＝１〜Ｎ）のうちの最大値である下限の基準データＢｍａｘとを抽出する（ステップＳ１３）。
【００４２】
すなわち、ステップＳ１２において、ｋ（ｋ＝１〜４）番目の画像表示装置１における各色の１００％輝度時の最小値Ｒ−Ｗｈｉｔｅ（ｋ）、Ｇ−Ｗｈｉｔｅ（ｋ）、Ｂ−Ｗｈｉｔｅ（ｋ）と、０％輝度時の最大値Ｒ−Ｂｌａｃｋ（ｋ）、Ｇ−Ｂｌａｃｋ（ｋ）、Ｂ−Ｂｌａｃｋ（ｋ）とを抽出し、ステップＳ１３では、Ｒ−Ｗｈｉｔｅ（ｋ）、Ｇ−Ｗｈｉｔｅ（ｋ）、Ｂ−Ｗｈｉｔｅ（ｋ）（ｋ＝１〜Ｎ）のうちの最小値である上限の基準データＷｍｉｎ（Ｒ−Ｗｈｉｔｅｍｉｎ、Ｇ−Ｗｈｉｔｅｍｉｎ、Ｂ−Ｗｈｉｔｅｍｉｎ）と、Ｒ−Ｂｌａｃｋ（ｋ）、Ｇ−Ｂｌａｃｋ（ｋ）、Ｂ−Ｂｌａｃｋ（ｋ）（ｋ＝１〜Ｎ）のうちの最大値である下限の基準データＢｍａｘ（Ｒ−Ｂｌａｃｋｍａｘ、Ｇ−Ｂｌａｃｋｍａｘ、Ｂ−Ｂｌａｃｋｍａｘ）とを抽出する。
【００４３】
その後、各画像表示装置１の全てのブロックについて、各色の１００％輝度が上限の基準データＷｍｉｎとなり、０％輝度が下限の基準データＢｍａｘとなり、かつ所定のγ特性カーブとなるように補正データを算出して、その補正データを対応する画像表示装置１の演算制御装置５に設定する（ステップＳ１４）。
【００４４】
すなわち、ステップＳ１４では、先ず、上記のＲ−Ｗｈｉｔｅｍｉｎ、Ｇ−Ｗｈｉｔｅｍｉｎ、Ｂ−ＷｈｉｔｅｍｉｎおよびＲ−Ｂｌａｃｋｍａｘ、Ｇ−Ｂｌａｃｋｍａｘ、Ｂ−Ｂｌａｃｋｍａｘをそれぞれ上限の基準データおよび下限の基準データとして、他の特性データを基準データに一致するように補正係数を算出し、その補正係数で各ブロックの輝度値を補正する。つまり、全てのブロックについて、０％輝度画像の輝度値と、１００％輝度画像の輝度値とをそれぞれの基準データに一致させるように特性データを補正する。
【００４５】
図１０は、上記の特性データの補正処理により得られるＲ色の補正特性データの一例を示すもので、図１０（ｂ）は図１０（ａ）をグラフ化したものである。図１０においても図８の場合と同様に、１番目から３番目のブロックについて示し、他のブロックについては図示を省略してある。
【００４６】
このようにすれば、例えば図１１（ａ）に示すように、各画像表示装置１の水平方向あるいは垂直方向における黒レベル（階調０）および最大輝度レベル（階調２５５）が異なる輝度分布を有していても、これらを図１１（ｂ）に示すように等しくすることができる。なお、図１１は２台の画像表示装置の黒レベルおよび最大輝度レベルを示している。
【００４７】
ところが、図１０から明らかなように、全てのブロックについて、階調０および階調２５５のそれぞれの輝度値を、抽出した基準データに一致させるように特性データを補正しても、各ブロックのγ係数が異なると、中間調での輝度値は必ずしも一致しない。
【００４８】
そこで、ステップＳ１４では、さらに、全てのブロックについて、γ係数も一致するような補正データを算出する。具体的には、Ｒ，Ｇ，Ｂの各色ごとに、γ特性カーブの平均を算出して、ブロックごとにその平均のγ特性カーブ（所定のγ特性カーブ）となるような補正係数、すなわち補正データを算出する。
【００４９】
このようにすれば、図１２に示すように、全てのブロックについて各階調での輝度値を一致させることができる。なお、図１２はＲ色の補正結果Ｒａｖｅを示しており、図１２（ｂ）は図１２（ａ）をグラフ化したものを示している。
【００５０】
以上説明した輝度およびγ特性カーブを一致させるための補正データは、一度の演算処理で算出し、これにより得られた各画像表示装置１の補正データは対応する演算制御装置５に配信して、補正データ記憶部１２にブロックと補正データとを対応させたルックアップテーブル（ＬＵＴ）方式で格納する。
【００５１】
その後は、各演算制御装置５の映像信号入力部１６に、図２に示したように映像出力機器６を接続し、該映像出力機器６からの入力映像信号を、補正データ記憶部１２に格納されている補正データに基づいて映像信号補正処理部１３で補正処理してプロジェクタ３によりスクリーン４に投影表示して、４台の画像表示装置１で一つの画面を表示させる。
【００５２】
本実施の形態によれば、組み合わせるＮ台の画像表示装置１について、１台１台の特性データを獲得するために、予めテスト映像を投影し、その投影画像をＣＣＤカメラ２８で撮影して、その撮影データから特性データを算出して対応する演算制御装置５の特性データ記憶部１１に格納しておき、Ｎ台の画像表示装置１を設置する際には、それらの特性データに基づいて各画像表示装置１の補正データを一括演算して、その補正データを対応する演算制御装置５の補正データ記憶部１２に格納するようにしたので、Ｎ台の画像表示装置１における面内および面間のむら、すなわち輝度むら、色むら、白バランス、γ特性を一度に自動調整することができる。
【００５３】
また、各画像表示装置１の特性データは、設置場所以外、例えば工場で測定して特性データ記憶部１１に格納しておくこともできる。このようにすれば、設置場所での測定が不要となるので、設置場所にＣＣＤカメラ２８を設置できない場合や、設置環境を暗室にできない場合であっても、面内および面間むらの調整が可能となる。
【００５４】
さらに、故障等により一部の画像表示装置１を交換した場合には、交換した画像表示装置１の特性データを取り込んで、補正データを再計算することにより全体の調整を迅速に行うことができる。また、プロジェクタ３のランプ光量が時間とともに低下したり、あるいはプロジェクタ３が液晶プロジェクタで、その液晶パネルの特性が変化したりして、むらが目立ってきた場合には、画像表示装置１に１台毎に小型のフード２７を取り付けて特性データを更新することができるので、測定スペースが狭かったり、マルチスクリーンディスプレイ全体を暗室化できない場合であっても調整が可能となる。
【００５５】
なお、本実施の形態では、特性データを取得するあたり、テスト映像をＣＣＤカメラ２８で撮影してスクリーン全画面分の撮影データを得るようにしたが、ＣＣＤカメラ２８に代えて、ビデオカメラを用いてスクリーン全画面分の撮影データを得たり、測色器や光電センサを用いてスクリーン全画面を走査して撮影データを得たりすることもできる。
【００５６】
（第２実施の形態）
図１３は、本発明の第２実施の形態の要部の構成を示すものである。本実施の形態は、第１実施の形態において、調整装置２１のテスト映像送出部２２および特性データ抽出部２３を省略して、これらを各画像表示装置１に対応する演算制御装置５に内蔵させ、テスト映像送出部２２からのテスト映像と映像信号入力部１６からの入力映像信号とをセレクタ３１で切り替えるようにしたものである。
【００５７】
このようにして、特性データを取得する場合には、制御部１４の制御のもとに、テスト映像送出部２２からテスト映像を送出させ、そのテスト映像をセレクタ３１を経て映像信号補正処理部１３で補正することなくスルーモードで映像信号出力部１７に供給してプロジェクタ３によりスクリーン４に投影表示する。スクリーン４に表示されたテスト映像は、図１４に示すように、フード２７により外光を遮光してＣＣＤカメラ２８で撮影し、その撮影データを通信部１５および制御部１４を経て特性データ抽出部２３に取り込んで特性データを抽出し、特性データ記憶部１１に格納する。
【００５８】
全ての画像表示装置１において特性データを取得した後は、第１実施の形態と同様にして、調整装置２１により各画像表示装置１の補正データを算出して対応する演算制御装置５の補正データ記憶部１２に格納する。
【００５９】
このように、各画像表示装置１の演算制御装置５にテスト映像送出部２２および特性データ抽出部２３を内蔵させれば、個々の画像表示装置１において、特性データを取得するためのテスト映像の表示、その撮影、特性データの抽出・保存を任意のタイミングで自動的に行うことができるので、特性データの取得操作が容易になる。また、調整装置２１には、テスト映像送出部２２および特性データ抽出部２３を設ける必要がないので、その分、構成を簡略化できる。
【００６０】
（第３実施の形態）
図１５は、本発明の第３実施の形態の要部の構成を示すものである。本実施の形態は、第１実施の形態において、調整装置２１の補正データ算出部２４を省略して、この補正データ算出部２４を各画像表示装置１に対応する演算制御装置５に内蔵させたものである。
【００６１】
このようにして、補正データを算出する場合には、全ての演算制御装置５を相互に通信可能にハブ２６を介して接続した状態で、各演算制御装置５の補正データ算出部２４に、自己の特性データ記憶部１１に記憶されている特性データを含む全ての演算制御装置５の特性データ記憶部１１に記憶されている特性データを取り込んで、それらの特性データに基づいて第１実施の形態と同様にして自己の補正データを算出して対応する補正データ記憶部１２に格納する。
【００６２】
なお、この場合、他の演算制御装置５から取り込む特性データは、それぞれの１００％輝度時の最小値および０％輝度値の最大値、すなわちＲ−Ｗｈｉｔｅ、Ｇ−Ｗｈｉｔｅ、Ｂ−ＷｈｉｔｅおよびＲ−Ｂｌａｃｋ、Ｇ−Ｂｌａｃｋ、Ｂ−Ｂｌａｃｋのみでもよい。
【００６３】
このように、各画像表示装置１の演算制御装置５に補正データ算出部２４を内蔵させれば、個々の画像表示装置１において、任意のタイミングで他の演算制御装置５と通信しながら自己の補正データを算出することができる。また、調整装置２１には、補正データ算出部２４を設ける必要がないので、その分、構成を簡略化できる。
【００６４】
（第４実施の形態）
図１６は、本発明の第４実施の形態の要部の構成を示すものである。本実施の形態は、第２実施の形態において、各画像表示装置１に対応する演算制御装置５に補正データ算出部２４をも内蔵させて、第３実施の形態と同様にして、自己の補正データを算出して対応する補正データ記憶部１２に格納するようにしたものである。
【００６５】
なお、この場合も、他の演算制御装置５から取り込む特性データは、第３実施の形態の場合と同様に、Ｒ−Ｗｈｉｔｅ、Ｇ−Ｗｈｉｔｅ、Ｂ−ＷｈｉｔｅおよびＲ−Ｂｌａｃｋ、Ｇ−Ｂｌａｃｋ、Ｂ−Ｂｌａｃｋのみでもよい。
【００６６】
このようにすれば、個々の画像表示装置１において、任意のタイミングで特性データの取得処理および補正データの算出処理を行うことができると共に、上述した調整装置２１が不要になり、システム構成の簡略化が図れる。
【００６７】
（第５実施の形態）
図１７は、本発明の第５実施の形態を説明するための図である。本実施の形態では、各画像表示装置１にＣＤ−Ｒ等の可搬性の記録媒体３５を付随させる。記録媒体３５には、対応する画像表示装置１の特性データを、例えば工場等において予め測定して当該画像表示装置１の識別コード（ＩＤ）とともに記録しておく。
【００６８】
一方、調整装置２１には、記録媒体３５を読み取るための媒体読み取り部３６および補正データ算出部２４を設ける。
【００６９】
このようにして、全ての画像表示装置１の演算制御装置５と、調整装置２１とをハブ２６を介して接続して、調整装置２１の媒体読み取り部３６で全ての記録媒体３５を順次読み取り、その読み取って得た全ての画像表示装置１の特性データおよび識別コードに基づいて、第１実施の形態と同様にして各画像表示装置１の補正データを一括して算出して、その補正データを識別コードをもとに対応する演算制御装置５の補正データ記憶部１２に格納する。
【００７０】
なお、本実施の形態においては、媒体読み取り部３６での読み取った特性データを、補正データ算出部２４に直接供給するようにして、各演算制御装置５の特性データ記憶部１１を省略することもできるが、媒体読み取り部３６で読み取った特性データを、識別コードをもとに対応する演算制御装置５の特性データ記憶部１１に格納し、その格納された特性データを補正データ算出部２４に取り込んで補正データを算出するようにすることもできる。特に、後者のように、記録媒体３５から読み取ったデータを対応する特性データ記憶部１１に格納するようにすれば、任意の画像表示装置１を交換した際に、交換しない画像表示装置１の記録媒体３５を再度読み取る必要がなくなる。
【００７１】
本実施の形態によれば、各画像表示装置１の特性データを識別コードとともに、例えば工場等において予め可搬性の記録媒体３５に記録して付随させるので、設置場所での測定が不要となる。したがって、設置場所にカメラを設置できなかったり、設置環境を暗室にできなかったりした場合でも、補正データを算出でき、各画像表示装置１を調整することができる。
【００７２】
（第６実施の形態）
図１８は、本発明の第６実施の形態を説明するための図である。本実施の形態では、調整装置２１ａおよび調整装置２１ｂとネットワーク４１を介してアクセス可能にサーバ４２を設け、このサーバ４２に特性データのデータベース４３を設ける。なお、各画像表示装置１に対応する演算制御装置５は、図３と同様に構成するが、特性データ記憶部１１は省略する。
【００７３】
調整装置２１ａは、例えば工場等に設置する。この調整装置２１ａには、テスト映像送出部、特性データ算出部および通信部を設けて、製造した画像表示装置１の特性データを図６で説明したようにして測定し、その特性データを画像表示装置１の識別コードとともにネットワーク４１を介してサーバ４２のデータベース４３に格納するようにする。
【００７４】
また、調整装置２１ｂは、マルチスクリーンディスプレイの設置場所側に配置する。この調整装置２１ｂには、補正データ算出部および通信部を設けて、ネットワーク４１を介してサーバ４２にアクセス可能に接続すると共に、ハブ２６を介してマルチスクリーンディスプレイを構成する各画像表示装置１の演算制御装置５に通信可能に接続する。
【００７５】
このようにして、マルチスクリーンディスプレイを構成する全ての画像表示装置１の補正データを取得するにあたっては、調整装置２１ｂとサーバ４２とをネットワーク４１を介して接続して、使用する画像表示装置１の識別コードをもとにデータベース４３から対応する特性データを検索して調整装置２１ｂの補正データ算出部に取り込み、その取り込んだ全ての特性データに基づいて上述したと同様にして各画像表示装置１の補正データを算出して、その算出した補正データを識別コードをもとに対応する演算制御装置５の補正データ記憶部１２に格納する。
【００７６】
本実施の形態によれば、各画像表示装置１の特性データを識別コードとともに、例えば製造時においてネットワーク４１を介してアクセス可能なサーバ４２のデータベース４３に格納して集中管理するようにしたので、事前に画像表示装置１を選んでおく必要がなく、任意の画像表示装置１の組み合わせが決まった時点で、それらの識別コードをもとにデータベース４３からそれらの特性データを取り出して直ちに補正データを算出することができ、設置時間を大幅に短縮することができる。
【００７７】
また、故障等により一部の画像表示装置１を交換した場合には、交換した画像表示装置１の特性データをデータベース４３から取り込んで、補正データを再計算することにより全体の調整を迅速に行うことができる。
【００７８】
（第７実施の形態）
図１９は、本発明の第７実施の形態を説明するための図である。本実施の形態では、各画像表示装置１に対応する演算制御装置５を、図１６に示す構成に特性パラメータ算出部５１と処理開始指示手段であるスイッチ５２とを付加して構成する。
【００７９】
各画像表示装置１の特性データは、第２実施の形態や第４実施の形態と同様に、対応する演算制御装置５に内蔵されたテスト映像送出部２２からテスト映像信号を送出して個々に取得し、その特性データを対応する特性データ記憶部１１に格納しておく。
【００８０】
また、各画像表示装置１の補正データは、図１９に示すように、全ての演算制御装置５をハブ２６を介して相互に通信可能に接続した状態で算出して対応する演算制御装置５の補正データ記憶部１２に格納する。
【００８１】
本実施の形態では、任意の演算制御装置５のスイッチ５２をアクティブ（オン）にすることにより、その演算制御装置５に対応する画像表示装置１をマスタとし、他の演算制御装置５に対応する画像表示装置１はスレーブとして、各画像表示装置１の補正データを算出する。
【００８２】
すなわち、先ず、マスタは、自己の特性パラメータ算出部５１に、自己の特性データ記憶部１１に格納されている特性データを含む全ての演算制御装置５の特性データ記憶部１１に格納されている特性データを取り込んで特性パラメータを演算する。
【００８３】
ここで、マスタの特性パラメータ算出部５１に取り込む特性データは、自己の特性データ記憶部１１からは全ての特性データを取り込むが、スレーブの各特性データ記憶部１１からは、少なくとも１００％輝度時の最小値および０％輝度値の最大値、すなわちＲ−Ｗｈｉｔｅ、Ｇ−Ｗｈｉｔｅ、Ｂ−ＷｈｉｔｅおよびＲ−Ｂｌａｃｋ、Ｇ−Ｂｌａｃｋ、Ｂ−Ｂｌａｃｋを取り込む。
【００８４】
その後、マスタの特性パラメータ算出部５１では、取り込んだ特性データに基づいて、上限の基準データＷｍｉｎ（Ｒ−Ｗｈｉｔｅｍｉｎ、Ｇ−Ｗｈｉｔｅｍｉｎ、Ｂ−Ｗｈｉｔｅｍｉｎ）および下限の基準データＢｍａｘ（Ｒ−Ｂｌａｃｋｍａｘ、Ｇ−Ｂｌａｃｋｍａｘ、Ｂ−Ｂｌａｃｋｍａｘ）を抽出すると共に、それらの基準データとマスタの全てのブロックの特性データとに基づいて各色の平均のγ特性カーブを算出し、これらを特性パラメータとして自己の補正データ算出部２４および各スレーブの補正データ算出部２４に供給する。
【００８５】
その後、マスタおよび各スレーブにおいては、それぞれの補正データ算出部２４において、供給された特性パラメータと対応する特性データ記憶部１１に格納されている全てのブロックの特性データとに基づいて補正データを算出して、対応する補正データ記憶部１２に格納する。
【００８６】
本実施の形態によれば、任意の演算制御装置５のスイッチ５２を操作することにより、マスタ−スレーブ方式によって、組み合わせる全ての画像表示装置１の特性パラメータをマスタで算出してスレーブに供給し、これによりマスタおよびスレーブの各演算制御装置５において特性パラメータと自己の特性データとに基づいて補正データを演算するようにしたので、例えば、故障等により一部の画像表示装置１を交換した場合には、交換した画像表示装置１の演算制御装置５のスイッチ５２を操作することにより補正データを再計算することができ、全体の調整を迅速に行うことができる。
【００８７】
（第８実施の形態）
図２０は、本発明の第８実施の形態を説明するための図である。このマルチスクリーンディスプレイは、１６台の画像表示装置１を４×４に組み合わせてなり、それぞれ２×２の４台の画像表示装置１でＡ，Ｂ，Ｃ，Ｄの４つのブロックを形成して、各ブロックにおいてそれぞれに独立した画像を表示するものである。
【００８８】
このため、本実施の形態では、各画像表示装置１にそれぞれ演算制御装置５を接続してこれらをハブ２６に接続すると共に、ハブ２６に配置情報記憶部５５を設けて、この配置情報記憶部５５に１６台の画像表示装置１の配置位置を示す配置情報を、例えば各画像表示装置１の識別コード（ＩＤ）を用いて、例えば図２１に示すように格納しておく。
【００８９】
このようにして、配置情報記憶部５５に格納された配置情報に基づいて、それぞれ４台の画像表示装置１からなるＡ，Ｂ，Ｃ，Ｄのブロックごとに、上述した実施の形態と同様にして補正データを求めて対応する演算制御装置５の補正データ記憶部１２に格納することによりブロックごとに輝度合わせおよび色合わせを行う。
【００９０】
このように、本実施の形態においては、マルチスクリーンディスプレイが１６台の画像表示装置１を有していても、独立した画像を表示する４台の画像表示装置１を一つのブロック（マルチスクリーンディスプレイ）として輝度合わせおよび色合わせを行うので、１６台の画像表示装置１を一つのマルチスクリーンディスプレイとして輝度合わせおよび色合わせを行う場合よりも、平均的なコントラストを高めることができる。
【００９１】
例えば、１６台の各画像表示装置１の０％輝度の最大値および１００％輝度の最小値が、図２２に示すような値を有する場合、１６台の全ての特性データから補正データを算出して補正すると、１６台の全ての画像表示装置１の０％輝度の最大値（０％輝度（ＭＡＸ））は「６」となり、１００％輝度の最小値（１００％輝度（ＭＩＮ））は「６５５」となって、Ａブロック〜Ｄブロックのコントラストは全て「１０９」となる。
【００９２】
これに対し、本実施の形態のように、ブロックごとに補正データを算出すれば、図２３に示すように、Ａブロックでは０％輝度（ＭＡＸ）が「４」、１００％輝度（ＭＩＮ）が「６５５」となってコントラストが「１６４」となり、Ｂブロックでは０％輝度（ＭＡＸ）が「５」、１００％輝度（ＭＩＮ）が「７０１」となってコントラストが「１４０」となり、Ｃブロックでは０％輝度（ＭＡＸ）が「６」、１００％輝度（ＭＩＮ）が「６７８」となってコントラストが「１１３」となり、Ｄブロックでは０％輝度（ＭＡＸ）が「４」、１００％輝度（ＭＩＮ）が「７０２」となってコントラストが「１７６」となる。したがって、平均コントラストは「１４８」となって、１６台全体で調整する場合よりも高くできる。
【００９３】
なお、上記の各実施の形態では、補正データを算出するにあたって、各色の上限の基準データＷｍｉｎをＲ−Ｗｈｉｔｅｍｉｎ、Ｇ−Ｗｈｉｔｅｍｉｎ、Ｂ−Ｗｈｉｔｅｍｉｎとして独立させたが、それらを一つの基準データ、例えばＲ−Ｗｈｉｔｅｍｉｎ、Ｇ−Ｗｈｉｔｅｍｉｎ、Ｂ−Ｗｈｉｔｅｍｉｎのうちの一つ（例えば、Ｇ−Ｗｈｉｔｅｍｉｎ）としたり、それらの平均値としたりすることもできる。各色の下限の基準データＢｍａｘについても、同様に一つにすることができる。
【００９４】
（第９実施の形態）
図２４〜図２８は、本発明の第９実施の形態を説明するための図である。本実施の形態では、マルチスクリーンディスプレイを構成する複数Ｎ台の画像表示装置の特性データから、Ｎ台の画像表示装置の出力特性が等しく、かつ各画像表示装置においてスクリーンの左右、上下の出力特性が対象なるように各画像表示装置の補正データを算出する。
【００９５】
すなわち、図２４に示すように、一つの画像表示装置１のスクリーン４に、０％輝度あるいは１００％輝度のテスト映像を表示すると、中心部では明るく、周辺部では暗くなる場合がある。しかも、その水平方向あるいは垂直方向の輝度分布は、画像表示装置ごとに異なる場合も多い。このため、Ｎ台の画像表示装置を並べると、それらの水平方向または垂直方向の黒レベルおよび最大輝度レベルは、例えば図２５に示すようになる。なお、図２５は２台の画像表示装置の輝度分布を示している。
【００９６】
この場合、画面内全域を同一輝度に補正すると、中心部分が暗くなってコントラストが低下するので、中心部分の補正を減らすことでコントラストの低下を減らした方が良い場合がある。
【００９７】
そこで、本実施の形態では、複数Ｎ台の画像表示装置の特性データに基づいて、図２６に示すように、各画像表示装置の出力特性が等しくなるように補正データを算出する。このようにすれば、隣接する画像表示装置の境界部分の輝度レベルが一致するので、画面間の明るさの違いをなくすことができ、つなぎ目を目立たなくすることができる。
【００９８】
なお、画像表示装置間の境界部分の輝度むらおよび色むらを目立たなくするためには、境界部分の輝度および色の特性を一致させることが必要であるから、各画像表示装置において、図２４にＩ−Ｉ線で示す水平方向の輝度分布を、図２７（ａ）に示すように、左右端で輝度が一致する左右対称にすると共に、図２４にＩＩ−ＩＩ線で示す垂直方向の輝度分布を、図２７（ｂ）に示すように、上下端で輝度が一致する上下対称にし、かつ図２８（ａ）および（ｂ）に示すように、左右端のγ特性および上下端のγ特性を一致させて、中間調での輝度ずれおよび色ずれも防止する。なお、各画像表示装置の中心の輝度については、一致させたほうが面間輝度差を目立たなくすることができるが、コントラストの低下を避けたい場合には、一致させないほうが良い。
【００９９】
【発明の効果】
以上のように、本発明によれば、一つの画面を構成する全ての画像表示装置の特性データを得てから、それらの特性データに基づいて各画像表示装置の補正データを一括して算出するようにしたので、設置場所に影響されることなく特性データを得ることができると共に、各画像表示装置を自動的にかつ迅速に調整することができ、しかも画像表示装置の組み合わせの変更にも容易に対処することができる。
【図面の簡単な説明】
【図１】本発明の第１実施の形態におけるマルチスクリーンディスプレイの概略構成を一部分解して示す斜視図である。
【図２】マルチスクリーンディスプレイの使用態様を示す図である。
【図３】図２に示す演算制御装置の構成を示すブロック図である。
【図４】第１実施の形態による補正データの取得工程を示すフローチャートである。
【図５】第１実施の形態による特性データおよび補正データを取得するための概略構成を示す図である。
【図６】第１実施の形態による特性データの取得方法を説明するための図である。
【図７】同じく、特性データの取得方法を説明するスクリーン表示エリアのブロック分割例を示す図である。
【図８】特性データの一例を示す図である。
【図９】第１実施の形態による補正データの算出方法を説明するためのフローチャートである。
【図１０】同じく、補正データの算出過程における補正特性データの一例を示す図である。
【図１１】第１実施の形態による補正効果を説明するための図である。
【図１２】同じく、補正結果を説明するための図である。
【図１３】本発明の第２実施の形態で用いる演算制御装置の構成を示すブロック図である。
【図１４】第２実施の形態による特性データの取得方法を説明するための図である。
【図１５】本発明の第３実施の形態で用いる演算制御装置の構成を示すブロック図である。
【図１６】同じく、第４実施の形態で用いる演算制御装置の構成を示すブロック図である。
【図１７】本発明の第５実施の形態を説明するための図である。
【図１８】同じく、第６実施の形態を説明するための図である。
【図１９】同じく、第７実施の形態を説明するための図である。
【図２０】同じく、第８実施の形態を説明するための図である。
【図２１】図２０に示す配置情報記憶部の記録内容を示す図である。
【図２２】図２０において、全ての特性データから補正データを算出した場合のコントラストを説明するための図である。
【図２３】第８実施の形態によるコントラストを説明するための図である。
【図２４】一つの画像表示装置の表示状態を説明するための図である。
【図２５】複数の画像表示装置の輝度分布を示す図である。
【図２６】本発明の第９実施の形態による補正データの算出方法を説明するための図である。
【図２７】同じく、算出方法を説明するための図である。
【図２８】同じく、算出方法を説明するための図である。
【符号の説明】
１  画像表示装置
２  筐体
３  プロジェクタ
４  スクリーン
５  演算制御装置
６  映像出力機器
１１  特性データ記憶部
１２  補正データ記憶部
１３  映像信号補正処理部
１４  制御部（ＣＰＵ）
１５  通信部
１６  映像信号入力部
１７  映像信号出力部
２１，２１ａ，２１ｂ  調整装置
２２  テスト映像送出部
２３  特性データ抽出部
２４  補正データ算出部
２６  ハブ
２７  フード
２８  ＣＣＤカメラ
３１  セレクタ
３５  記録媒体
３６  媒体読み取り部
４１  ネットワーク
４２  サーバ
４３  データベース
５１  特性パラメータ算出部
５２  スイッチ
５５  配置情報記憶部
【図１】
2004309562.tif 000003
【図２】
2004309562.tif 000004
【図３】
2004309562.tif 000005
【図４】
2004309562.tif 000006
【図５】
2004309562.tif 000007
【図６】
2004309562.tif 000008
【図７】
2004309562.tif 000009
【図８】
2004309562.tif 000010
【図９】
2004309562.tif 000011
【図１０】
2004309562.tif 000012
【図１１】
2004309562.tif 000013
【図１２】
2004309562.tif 000014
【図１３】
2004309562.tif 000015
【図１４】
2004309562.tif 000016
【図１５】
2004309562.tif 000017
【図１６】
2004309562.tif 000018
【図１７】
2004309562.tif 000019
【図１８】
2004309562.tif 000020
【図１９】
2004309562.tif 000021
【図２０】
2004309562.tif 000022
【図２１】
2004309562.tif 000023
【図２２】
2004309562.tif 000024
【図２３】
2004309562.tif 000025
【図２４】
2004309562.tif 000026
【図２５】
2004309562.tif 000027
【図２６】
2004309562.tif 000028
【図２７】
2004309562.tif 000029
【図２８】
2004309562.tif 000030